(57)【要約】      （修正有）【課題】路肩や駐車場に駐停車した車両の乗員が車両のドアを開けた場合に、車両の側面を通行しようとする車両や歩行者が、車両のドアに接触または追突することを防ぐ車両ドアへの接触追突防止灯装置を提供する。【解決手段】車両の各ドア３のドアロック解除レバー容器に指を近付けると感知し点灯或いは点滅する赤外線センサと警告灯１を、車両の車内の各ドア３のドアロック解除レバー容器に設ける。車両側面のドア３上部の車体に、前方及び後方から灯火装置の一定時間の点灯または点滅回数による点灯或いは点滅が容易に確認できる位置に警告灯１を設ける。【選択図】図１
2017159878.tif 000002
【特許請求の範囲】
【請求項１】
指に感知する赤外線センサを、車両の車内の各ドアのドアロック解除レバー容器内に設け、赤外線センサにより指に感知して一定時間の点灯または点滅回数で点灯、点滅する警告灯をドアロック解除レバー容器内、またはその周辺に設けた車両のドアへの接触追突防止灯装置。
【請求項２】
ドアロック解除レバー容器に警告灯が点灯、点滅すると同時に、車両側面のドア上部の車体または前、後方より容易に灯火が確認できる位置に設けた警告灯が一定時間の点灯または点滅回数により点灯、点滅する、請求項１に記載の車両のドアへの接触追突防止灯装置。
【請求項３】
ドアロック解除レバーを引き、ドアが車体との連結装置が外れた時点で灯火が一定時間の点灯または点滅回数で車両側面のドア上部又は前、後方より容易に灯火が確認できる位置に開扉灯を設けた、請求項１乃至２に記載の車両のドアへの接触追突防止灯装置。
【請求項４】
警告灯と開扉灯を１つの灯火装置に組み込み、灯火装置の前方、後方をひっかかりがなくするために流線型にし、車両側面のドア上部の車体に設けた、請求項２乃至３に記載の車両のドアへの接触追突防止灯装置。
【請求項５】
各灯火装置の灯火を色わけした１乃至、２乃至、３乃至４に記載の車両のドアへの接触追突防止灯装置。
【発明の詳細な説明】
【技術分野】
【０００１】本発明は道路の路肩、および駐車場等に、駐停車している車両から降りようとしている車両の乗員に、赤外線センサを用い、ドアを開けることへの注意と確認を促し、側面通行車両、歩行者を安全に通行させる、車両のドアへの接触追突防止灯装置に関するものである。
【背景技術】
【０００２】従来、車両、歩行者が道路の路肩に駐停車している車両、駐車場等に駐停車している車両の側面を通行する際、止まっている車両の中に乗員が居る場合、急にドアが開く可能性があり危険であった。
【発明の概要】
【発明が解決しようとする課題】
【０００３】道路の路肩に駐停車した車両の側面を通行する際、片側１車線の道路がほとんどであり、車両が路肩に駐停車すれば、残りの道路幅は駐停車した車両と、その側面を通行する車両との間隔はわずかであり、駐停車した車両の側面を法令の速度で通行していた、道路の路肩、駐車場等に駐停車した車両の運転者または、助手席、後部座席の乗員が前、後方を確認せず、車両のドアを開けた場合、路肩、駐車場等に駐停車した車両の側面を通行しようとする車両、歩行者が、駐車、または停止している車両の急に開いたドアに接触、追突し、事故になる事が多く、初心者、婦女子、高齢者に多い問題であった。
本発明は以上の問題点を解決するためになされたものである。
【課題を解決するための手段】
【０００４】車両より降りる際、車体とドアの連結を解除するために、ドアロック解除レバー容器内のドアロック解除レバーに指を近付けると、指に感知する赤外線センサを、車内の各ドアのドアロック解除レバー容器に設け、ドアロック解除レバーを引くためにドアロック解除レバー容器に指を差し入れた時点で指に感知した赤外線センサにより、ドアロック解除レバー容器内、又はその周囲に設けた警告灯が一定時間の点灯または点滅回数により点灯、点滅でドアを開けようとしている乗員に前、後方への注意と確認を促し、同時に側面通過車両、歩行者に前方の駐停車している車両がドアを開ける意図があることを車内、外に設けた、警告灯の一定時間の点灯または点滅回数による点灯、点滅で車両側面ドアの上部と、前、後方より灯火が容易に確認できる位置に設けた灯火装置で表示し、側面通行車、歩行者に早めの点灯で早めの注意を促し、駐停車している車両の乗員が指でドアロック解除レバー容器内のドアロック解除レバーを引くことによりドアと車体との連結が外れた時点で開扉灯の一定時間の点灯または点滅回数で点灯、点滅が車両側面のドア上部の車体に設けた引っかかりをしないように流線型をした前、後方より容易に灯火が確認できる位置に設けた開扉灯と警告灯を１つの灯火装置に組み込み、灯火の色分けした灯火を段階に、点灯、点滅する灯火装置により、停止、または駐車している車両の側面を前、後方より通行しようとする車両、路肩を通る歩行者に、ドアが開く前に灯火で駐停車した車両のドアの開閉状態を段階に早く知らせることによって安全に駐停車した車両側面の通行ができる。
以上の構成よりなる車両のドアへの接触追突防止灯装置。
【発明の効果】
【０００５】従来、車両を路肩、駐車場に駐停車し乗員が車両より降りる際は、前、後方を確認してからドアを開けなければならないが、不注意で確認せずにドアを開けて、停止、または駐車した車両の側面を通行しようとする車両、歩行者、が急に開いた車両のドアに接触、追突することが多かった。
本発明により、停止、駐車した車両の側面を通行しようとする車両、歩行者に、路肩、駐車場に停止、または駐車した車両のドアの各灯火装置の点灯、点滅する警告灯と開扉灯を１つの灯火装置に組み込み、灯火の色分けした各灯火装置により、側面通行車両、歩行者にドアが開く前に段階に早めの注意を促し、駐停車した車両の乗員が不注意でドアを開けようとして、ドアロック解除レバー容器内のドアロック解除レバーに目線がいき、差し入れた指がドアロック解除レバーを引く前に赤外線センサに感知してドアロック解除レバー容器内、またはその周囲で警告灯が点灯、点滅するため、灯火により前、後方確認の不注意に気付き、１つの灯火の点灯、点滅で乗員と側面通行車両と歩道を通る歩行者、に対して危険防止の注意を促し、ドアへの接触追突事故を未然に防ぐことが出来る。
【図面の簡単な説明】
【０００６】
【図１】各灯火装置の配置斜視図
【図２】赤外線センサ、警告灯取付け位置の斜視図
【図３】赤外線センサ感知時の指の位置と警告灯点灯蒔の位置図
【図４】開扉灯点灯時の位置図
【図５】警告灯と開扉灯の取り付け例
【図６】警告灯と開扉灯の開扉蒔の位置図
【図７】警告灯と開扉灯を車内前部への取り付け例
【図８】車両側面のドア上部の車体に設けた流線型の灯火装置の斜視図
【図９】車両側面のドア上部の車体に設けた流線型の灯火装置の断面図
【図１０】赤外線センサ取付け状態と赤外線センサ感知範囲のドアの断面図
【図１１】片側１車線道路の車両と歩行者、自転車の通行図
【図１２】一車線道路の車両と歩行者、自転車の通行図
【図１３】駐車場等の通行図
【発明を実施するための形態】
【０００７】以下本発明の実施の形態を説明する。
（イ）車両の車内の各、ドアロック解除レバー容器（８）に指（９）を感知する赤外線センサ（６）を設ける。
（ロ）車両の各ドアロック解除レバー容器（８）に赤外線センサ（６）により指（９）に反応し一定時間の点灯、または点滅回数によって点灯、点滅する警告灯（１）を設ける。
（ハ）車両側面のドア上部の車体と、前、後方より容易に確認できる位置に警告灯（１）と開扉灯（２）を組み込み、灯火装置の前、後にひっかかりを無くすために流線型とした灯火装置を設ける。
本発明は以上のような構造である。
本発明を使用する時は、車両から降りる際、ドアロック解除レバー容器（８）のドアロック解除レバー（５）を引くために目線を向けて指（９）をドアロック解除レバー（５）に近付けると、ドアロック解除レバー容器（８）に設けた赤外線センサ（６）が反応して警告灯（１）がドアロック解除レバー容器（８）内、又はその周囲で一定時間の点灯または点滅回数によって点灯、点滅し乗員にドア（３）を開ける事の確認と注意を促し、同時に車両のドア（３）上部の車体と前、後方より容易に灯火が確認できる位置に設けた警告灯（１）により側面通過車両、路肩を通る歩行者にドア（３）を開ける意図があることを警告灯（１）により知らせ、ドアロック解除レバー（５）を引くことによりドアロック（４）が車体より外れた時点で、車両側面のドア（３）上部の車体と、前、後方より容易に灯火が確認できる位置に設けた開扉灯（２）が一定時間の点灯、または点滅回数により点灯、点滅してドア（３）が開いたことを知らせ、車両側面を通行しようとする車両、歩行者に指（９）が赤外線センサ（６）により反応し、ドアロック解除レバー（５）を引くより早く感知し、警告灯（１）を点灯、点滅するため、ドア（３）が開き開扉灯（２）が点灯するまでの時間的余裕が出来るため、十分な注意を促し、１つの灯火装置で乗員と側面通行車両、歩行者、に危険防止の注意を促し、接触、追突の事故を未然に防止する。
【符号の説明】
【０００８】１  警告灯、２  開扉灯、３  ドア、４  ドアロック、５  ドアロック解除レバー  ６  赤外線センサ、７  ドアヒンジ、８  ドアロック解除レバー容器、９  指、１０  灯火装置  １１  透明保護材  １２  凸レンズ、１３  ドアガラス、１４  ドアガラス昇降スイッチ  １５  赤外線センサ感知範囲  １６  歩道  １７  駐停車車両  １８  側面通過車両
【図１】
2017159878.tif 000003
【図２】
2017159878.tif 000004
【図３】
2017159878.tif 000005
【図４】
2017159878.tif 000006
【図５】
2017159878.tif 000007
【図６】
2017159878.tif 000008
【図７】
2017159878.tif 000009
【図８】
2017159878.tif 000010
【図９】
2017159878.tif 000011
【図１０】
2017159878.tif 000012
【図１１】
2017159878.tif 000013
【図１２】
2017159878.tif 000014
【図１３】
2017159878.tif 000015